(57)【要約】      （修正有）【課題】結束を容易に行うことができ、多用途に使用することができる多用途固定部材を提供する。【解決手段】帯状部１１と、上記帯状部１１の長さ方向一端部に形成され、上記帯状部１１の他端部を挿通できる孔部１４を有すると共に上記他端部を取り外し可能に固定できる固定部１５を有する構成とする。【選択図】図１
0003178244.tif 000002
【実用新案登録請求の範囲】
【請求項１】
帯状部と、上記帯状部の長さ方向一端部に形成され、上記帯状部の他端部を挿通できる孔部を有すると共に上記他端部を取り外し可能に固定できる固定部を有することを特徴とする多用途固定部材。
【請求項２】
上記帯状部は細長板状に形成されると共に、上記固定部は上記帯状部よりも大きな幅寸法に形成されていることを特徴とする請求項１記載の多用途固定部材。
【請求項３】
上記帯状部の先端部には係合部が設けられると共に上記固定部には上記係合部が係合する被係合部が設けられていることを特徴とする請求項１記載の多用途固定部材。
【請求項４】
上記係合部は凹状ホックであると共に上記被係合部は凸状ホックであることを特徴とする請求項１記載の多用途固定部材。
【請求項５】
上記帯状部は可撓性のある素材により形成され、上記帯状部の他端部を上記孔部に挿通させて反転させ、上記固定部へ固定して使用できるように構成されていることを特徴とする請求項１記載の多用途固定部材。
【考案の詳細な説明】
【技術分野】
【０００１】
本考案は、物品を結束して固定するために使用される多用途固定部材に関し、特に、２か所の結束をすることができる多用途固定部材に関する。
【背景技術】
【０００２】
従来、１つの結束バンドで２か所の結束をすることができる結束バンドとして、特開２００３−４７１３９号公報（特許文献１）に開示された結束バンドが知られている。
【０００３】
図○に示すように、上記結束バンド３０は、鋸歯状凹凸部３１を有する帯部３２と、上記帯部３２の基端に設けられる頭部３３とを有し、上記頭部３３には、上記帯部３２が先端部側から挿通されかつその内部に設けられた係止部３４が上記鋸歯状凹凸部３１と係合する第１の貫通孔３５および第２の貫通孔３６が設けられている。
【０００４】
上記結束バンド３０を使用する場合には、まず、上記帯部３２の先端部を上記第１の貫通孔３５に挿通して第１の結束部分を形成した後、上記帯部３２の先端部を上記第２の貫通孔３６に挿通して、第２の結束部分を形成することにより、２つの配線群４０、４１等を結束固定することができる。
【０００５】
この場合、上記鋸歯状凹凸部３１と上記係止部３４とが係合され、挿入方向と逆方向の引き抜きが阻止されるが、つまみ部３７を押圧することによって、上記鋸歯状凹凸部３１と上記係止部３４との係合状態が解除され、上記帯部３２を上記第１の貫通孔３５から引き抜くことができ、上記結束バンド３０を再利用することができる。
【０００６】
しかしながら、上記結束バンド３０を使用して固定する場合には、上記帯部３２の先端部を、上記第２の貫通孔部３６に挿通する必要があり、また、上記鋸歯状凹凸部３１と上記係止部３４との係合状態を解除する場合には、上記つまみ部３７を押圧すると共に、上記帯部３２を上記第２の貫通孔部３６から引き抜く操作が必要であることから、操作し難くという不具合があった。
【０００７】
また、上記結束バンド１０は、配線群等のように強固に結束する必要がある場合に使用されるものであり、多用途には使用できないという不具合があった。
【特許文献１】特開２００３−４７１３９号公報
【考案の開示】
【考案が解決しようとする課題】
【０００８】
そこで、本考案の課題は、結束を容易に行うことができ、多用途に使用することができる多用途固定部材を提供することにある。
【課題を解決するための手段】
【０００９】
上記課題を解決するため、請求項１に係る多用途固定部材は、帯状部と、上記帯状部の長さ方向一端部に形成され、上記帯状部の他端部を挿通できる孔部を有すると共に上記他端部を取り外し可能に固定できる固定部を有することを特徴とする。
【００１０】
したがって、上記他端部を上記孔部に挿通した後、上記他端部を上記固定部に固定した場合には、上記他端部を上記孔部に挿通することにより、上記帯状部により第１の輪状部が形成されると共に、上記他端部を上記孔部に挿通した後、上記他端部を上記固定部に固定することにより、第２の輪状部が形成される。
【００１１】
また、上記他端部を上記孔部に挿通することなく、上記固定部に固定した場合には、上記帯状部により、大径の輪状部が形成される。
【００１２】
請求項２に係る多用途固定部材は、上記帯状部は細長板状に形成されると共に、上記固定部は上記帯状部よりも大きな幅寸法に形成されていることを特徴とする。
【００１３】
したがって、上記帯状部は細長板状に形成されていることから、使用者が把持しやすく、また、上記固定部は上記帯状部よりも大きな幅寸法に形成されていることから、上記他端部を上記孔部に挿通し易い。
【００１４】
請求項３に係る多用途固定部材は、上記帯状部の先端部には係合部が設けられると共に上記固定部には上記係合部が係合する被係合部が設けられていることを特徴とする。
【００１５】
したがって、上記係合部を上記被係合部に係合させることにより、上記帯状部の先端部を上記固定部に固定することができる。
【００１６】
請求項４に係る多用途固定部材は、上記係合部は凹状ホックであると共に上記被係合部は凸状ホックであることを特徴とする。
【００１７】
したがって、凹状ホックと凸状ホックとを係合させることにより、上記他端部を上記固定部に係合させることができる。
【００１８】
請求項５に係る多用途固定部材は、上記帯状部は可撓性のある素材により形成され、上記帯状部の他端部を上記孔部に挿通させて反転させ、上記固定部へ固定して使用できるように構成されていることを特徴とする。
【考案の効果】
【００１９】
請求項１に係る多用途固定部材にあっては、上記他端部を上記孔部に挿通した後、上記他端部を上記固定部に固定した場合には、上記他端部を上記孔部に挿通することにより、上記帯状部により第１の輪状部が形成されると共に、上記他端部を上記孔部に挿通した後、上記他端部を上記固定部に固定することにより、第２の輪状部が形成されることから、上記第１の輪状部および上記第２の輪状部を容易に形成できるとともに、上記第１の輪状部および上記第２の輪状部において物品を容易に結束させることができる。
【００２０】
また、上記他端部を上記孔部に挿通することなく、上記固定部に固定した場合には、上記帯状部により、大径の輪状部が形成されることから、上記大径の輪状部を容易に形成することができるとともに、上記大径の輪状部により、物品を結束することができる。
【００２１】
したがって、上記第１の輪状部および上記第２の輪状部を形成する場合、または、上記大径の輪状部を形成する場合のいずれにおいても、結束を容易に行うことができ、多用途に使用することができる。
【００２２】
請求項２に係る多用途固定部材は、上記帯状部は細長板状に形成されていることから、使用者が把持しやすく、また、上記固定部は上記帯状部よりも大きな幅寸法に形成されていることから、上記他端部を上記孔部に挿通し易いことから、良好な操作性が得られる。
【００２３】
請求項４に係る多用途固定部材は、凹状ホックと凸状ホックとを係合させることにより、上記他端部を上記固定部に係合させることができることから、使用者は、上記他端部を上記固定部に容易に固定することができ、良好な操作性が得られる。
【図面の簡単な説明】
【００２４】
【図１】本考案に係る多用途固定部材の一実施の形態における多用途固定部材を示す斜視図である。
【図２】本考案に係る多用途固定部材の一実施の形態における多用途固定部材を使用して鞄の持ち手を結束した状態を示す斜視図である。
【図３】本考案に係る多用途固定部材の一実施の形態における多用途固定部材を使用して鞄の持ち手を結束した状態を示す斜視図である。
【図４】本考案に係る多用途固定部材の一実施の形態における多用途固定部材を使用してベルトとキーリングとを結束した状態を示す斜視図である。
【図５】従来の結束バンドを示す平面図である。
【図６】従来の結束バンドの使用方法を示す断面図である。
【考案を実施するための最良の形態】
【００２５】
図１に示すように、本実施の形態に係る多用途固定部材１０は、細長板状に形成された帯状部１１と、上記帯状部１１の長さ方向一端部１２に形成され、上記帯状部１１の他端部１３を挿通できるよう、幅方向に開口した孔部１４を有する。
【００２６】
また、上記一端部１２には、上記他端部１３を取り外し可能に固定できる固定部１５が設けられており、上記固定部の幅寸法Ｌ１は、上記帯状部の幅寸法Ｌ２よりも大きく形成されている。
【００２７】
図１に示すように、上記帯状部１１の先端部１６には係合部１７が設けられると共に上記固定部１５には上記係合部１７が係合する被係合部１８が設けられており、上記係合部１７は凹状ホック１９により構成されていると共に上記被係合部１８は凸状ホック２０により構成されている。
【００２８】
図２に示すように、上記帯状部１１は可撓性のある皮革素材により形成され、上記帯状部１１の他端部１３を上記孔部１４に挿通させて反転させ、上記固定部１５へ固定して使用できるように構成されている。
【００２９】
以下、本実施の形態に係る多用途固定部材１０の作用について説明する。
【００３０】
図２に示すように、上記他端部１３を上記孔部１４に挿通した後、上記他端部１３を上記固定部１５に固定した場合には、上記他端部１３を上記孔部１４に挿通することにより、上記帯状部１１により第１の輪状部２１が形成されると共に、上記他端部１３を上記孔部１４に挿通した後、上記他端部１３を上記固定部１５に固定することにより、第２の輪状部２２が形成される。
【００３１】
また、上記他端部１３を上記孔部１４に挿通することなく、上記固定部１５に固定した場合には、上記帯状部１１により、大径の輪状部２３が形成される。
【００３２】
したがって、上記第１の輪状部および上記第２の輪状部を容易に形成できるとともに、上記第１の輪状部２１および上記第２の輪状部２２において物品を容易に結束させることができる。
【００３３】
また、上記他端部１３を上記孔部１４に挿通することなく、上記固定部１５に固定した場合には、上記帯状部１１により、大径の輪状部２３が形成されることから、上記大径の輪状部２３を容易に形成することができるとともに、上記大径の輪状部２３により、物品を結束することができる。
【００３４】
したがって、上記第１の輪状部２１および上記第２の輪状部２２を形成する場合、または、上記大径の輪状部２３を形成する場合のいずれにおいても、結束を容易に行うことができ、多用途に使用することができる。
【００３５】
また、図１に示すように、上記帯状部１１は細長板状に形成されていることから、使用者が把持しやすく、また、上記固定部１５は上記帯状部１１よりも大きな幅寸法に形成されていることから、上記他端部１３を上記孔部１４に挿通し易く、良好な操作性が得られる。
【００３６】
また、凹状ホック１９と凸状ホック２０とを係合させることにより、上記他端部１３を上記固定部１５に係合させることができることから、使用者は、上記他端部を上記固定部に容易に固定することができ、良好な操作性が得られる。
【００３７】
また、図２に示すように、上記帯状部は可撓性のある素材により形成され、上記帯状部の他端部を上記孔部に挿通させて反転させ、上記固定部へ固定して使用できるように構成されている。
【００３８】
まず、多用途固定部材１０の使用例を説明する。
【００３９】
図２においては、鞄２４の一対の持ち手２５ａ、２５ｂを結束した状態を示しており、まず、一方の持ち手２５ａに上記帯状部１１を巻きつけた後、他方の持ち手２５ｂに巻きつけるよう上記他端部１３を上記孔部１４に挿通させて反転させ、上記凹状ホック１９と上記凸状ホック２０とを係合させることにより上記多端部１３を上記固定部へ固定している。
【００４０】
また、図３においては、上記多端部１３を上記孔部１４に挿通することなく、一対の持ち手２５ａ、２５ｂに上記帯状部１１を巻きつけ、上記凹状ホック１９と上記凸状ホック２０とを係合させることにより上記多端部１３を上記固定部へ固定している。
【００４１】
また、鞄の持ち手を結束する場合の他、図４に示すように、ベルト２６とキーホルダー２７のキーリング２８とを結束することもでき、多用途に使用することができる。
【産業上の利用可能性】
【００４２】
本考案は、多用途固定部材に適用可能であり、産業上の利用可能性を有している。
【符号の説明】
【００４３】
１０  多用途固定部材
１１  帯状部
１２  一端部
１３  他端部
１４  孔部
１５  固定部
１６  先端部
１７  係合部
１８  被係合部
１９  凹状ホック
２０  凸状ホック
２１  第１の輪状部
２２  第２の輪状部
２３  大径の輪状部
２４  鞄
２５ａ、２５ｂ  持ち手
２６  ベルト
２７  キーホルダー
３０  結束バンド
３１  鋸歯状凹凸部
３２  帯部
３３  頭部
３４  係止部
３５  第１の貫通孔
３６  第２の貫通孔
３７  つまみ部
Ｌ１  固定部の幅寸法
Ｌ２  帯状部の幅寸法
【図１】
0003178244.tif 000003
【図２】
0003178244.tif 000004
【図３】
0003178244.tif 000005
【図４】
0003178244.tif 000006
【図５】
0003178244.tif 000007
【図６】
0003178244.tif 000008